(57)【要約】【課題】オブジェクトの前面又は背面にのみ特色な色材を塗る場合よりもユーザの期待に沿った出力結果が得られる印刷制御装置及びプログラムを提供する。【解決手段】印刷制御装置３は、第１の画像データに含まれる複数の第１のオブジェクトのうち第２のオブジェクトを重ねる対象となる第１のオブジェクトの選択と、選択された第１のオブジェクトの前面又は背面の重ねる側の選択とを受け付ける受付手段３００と、受け付けられた選択に基づいて第１のオブジェクトに第２のオブジェクトを重ねた第２の画像データを印刷するよう印刷装置を制御する印刷制御手段３０５とを備える。【選択図】図１
2020047194.tif 000002
【特許請求の範囲】
【請求項１】
第１の画像データに含まれる複数の第１のオブジェクトのうち第２のオブジェクトを重ねる対象となる前記第１のオブジェクトの選択と、選択された前記第１のオブジェクトの前面又は背面の重ねる側の選択とを受け付ける受付手段と、
受け付けられた前記選択に基づいて前記第１のオブジェクトに前記第２のオブジェクトを重ねた第２の画像データを印刷するよう印刷装置を制御する制御手段と、
を備えた印刷制御装置。
【請求項２】
前記第１のオブジェクトの選択は、オブジェクトの種別の選択である、
請求項１に記載の印刷制御装置。
【請求項３】
前記オブジェクトの種別の選択は、オブジェクトの種別の組の選択を含む、
請求項２に記載の印刷制御装置。
【請求項４】
前記受付手段は、前記第２のオブジェクトの印刷に用いられる色材の選択を受け付ける、
請求項１から３のいずれか１項に記載の印刷制御装置。
【請求項５】
前記色材は、重ねる側に応じて予め定められた色材から選択される、
請求項４に記載の印刷制御装置。
【請求項６】
前記制御手段は、前記色材を、重ねる側に応じた濃度で印刷するよう前記印刷装置を制御する、
請求項４又は５に記載の印刷制御装置。
【請求項７】
前記色材は、３つ以上の色材から選択される、
請求項４又は５に記載の印刷制御装置。
【請求項８】
前記３つ以上から選択された色材で前記第２のオブジェクトを表現した前記第２の画像データのプレビュー画像を生成して表示する生成手段、
をさらに備えた請求項７に記載の印刷制御装置。
【請求項９】
コンピュータを、
第１の画像データに含まれる複数の第１のオブジェクトのうち第２のオブジェクトを重ねる対象となる前記第１のオブジェクトの選択と、選択された前記第１のオブジェクトの前面又は背面の重ねる側の選択とを受け付ける受付手段と、
受け付けられた前記選択に基づいて前記第１のオブジェクトに前記第２のオブジェクトを重ねた第２の画像データを印刷するよう印刷装置を制御する制御手段、
として機能させためのプログラム。
【発明の詳細な説明】
【技術分野】
【０００１】
本発明は、印刷制御装置及びプログラムに関する。
【背景技術】
【０００２】
近年、原稿の既存の画像オブジェクトの上にクリアトナー等の特色インクで印刷する追加オブジェクトを配置できるようにした情報処理装置が提案されている（例えば、特許文献１参照。）。
【０００３】
特許文献１に記載された情報処理装置は、追加の画像オブジェクトを示す追加オブジェクトを重ねる対象となる画像オブジェクトの属性を指定する属性指定部と、画像データに含まれる複数の画像オブジェクトの中から、属性指定部により指定された属性を示す全ての画像オブジェクトを特定する第１の特定部と、第１の特定部により特定された画像オブジェクトごとに、該画像オブジェクトと同じ形状であり、かつ、該画像オブジェクトの前面に重なる追加オブジェクトを生成する生成部とを備える。
【先行技術文献】
【特許文献】
【０００４】
【特許文献１】特開２０１７−５８７２０号公報
【発明の概要】
【発明が解決しようとする課題】
【０００５】
本発明の課題は、オブジェクトの前面又は背面にのみ特色な色材を塗る場合よりもユーザの期待に沿った出力結果が得られる印刷制御装置及びプログラムを提供することにある。
【課題を解決するための手段】
【０００６】
［１］第１の画像データに含まれる複数の第１のオブジェクトのうち第２のオブジェクトを重ねる対象となる前記第１のオブジェクトの選択と、選択された前記第１のオブジェクトの前面又は背面の重ねる側の選択とを受け付ける受付手段と、
受け付けられた前記選択に基づいて前記第１のオブジェクトに前記第２のオブジェクトを重ねた第２の画像データを印刷するよう印刷装置を制御する制御手段と、を備えた印刷制御装置。
［２］前記第１のオブジェクトの選択は、オブジェクトの種別の選択である、前記［１］に記載の印刷制御装置。
［３］前記オブジェクトの種別の選択は、オブジェクトの種別の組の選択を含む、前記［２］に記載の印刷制御装置。
［４］前記受付手段は、前記第２のオブジェクトの印刷に用いられる色材の選択を受け付ける、前記［１］から［３］のいずれか１つに記載の印刷制御装置。
［５］前記色材は、重ねる側に応じて予め定められた色材から選択される、前記［４］に記載の印刷制御装置。
［６］前記制御手段は、前記色材を、重ねる側に応じた濃度で印刷するよう前記印刷装置を制御する、前記［４］又は［５］に記載の印刷制御装置。
［７］前記色材は、３つ以上の色材から選択される、前記［４］又は［５］に記載の印刷制御装置。
［８］前記３つ以上から選択された色材で前記第２のオブジェクトを表現した前記第２の画像データのプレビュー画像を生成して表示する生成手段、をさらに備えた前記［７］に記載の印刷制御装置。
［９］コンピュータを、第１の画像データに含まれる複数の第１のオブジェクトのうち第２のオブジェクトを重ねる対象となる前記第１のオブジェクトの選択と、選択された前記第１のオブジェクトの前面又は背面の重ねる側の選択とを受け付ける受付手段と、
受け付けられた前記選択に基づいて前記第１のオブジェクトに前記第２のオブジェクトを重ねた第２の画像データを印刷するよう印刷装置を制御する制御手段、として機能させためのプログラム。
【発明の効果】
【０００７】
請求項１、９に係る発明によれば、オブジェクトの前面又は背面にのみ特色な色材を塗る場合よりもユーザの期待に沿った出力結果を得ることができる。
請求項２、３に係る発明によれば、オブジェクトの選択を簡易にできる。
請求項４に係る発明によれば、期待する効果に応じた色材を選択することができる。
請求項５に係る発明によれば、色材の選択を簡易にできる。
請求項６に係る発明によれば、濃度を指定する操作を省くことができる。
請求項７に係る発明によれば、印刷装置に組み込まれた色材に限定されずに選択することができる。
請求項８に係る発明によれば、印刷装置に組み込まれた色材以外の色材で表現した場合をプレビュー画像で確認することができる。
【図面の簡単な説明】
【０００８】
【図１】図１は、本発明の実施の形態に係る印刷システムの構成例を示すブロック図である。
【図２】図２は、上塗り用特色トナーに関する設定画面の一例を示す図である。
【図３】図３は、下塗り用特色トナーに関する設定画面の一例を示す図である。
【図４】図４は、特色トナーの追加を指示する前のＣＭＹＫ版のラスター画像データの一例を示す図である。
【図５】図５は、比較例１の出力結果を示し、（ａ）は、平面図、（ｂ）は、（ａ）のＡ−Ａ線断面図である。
【図６】図６は、比較例２の出力結果を示し、（ａ）は、平面図、（ｂ）は、（ａ）のＢ−Ｂ線断面図である。
【図７】図７は、本実施の形態の出力結果の一例を示し、（ａ）は、平面図、（ｂ）は、（ａ）のＣ−Ｃ線断面図である。
【図８】図８は、画像出力装置の概略の構成例を示す図である。
【図９】図９は、本実施の形態に係る印刷システムの動作の一例を示すフローチャートである。
【図１０】図１０は、図９の画像処理の一例を示すフローチャートである。
【発明を実施するための形態】
【０００９】
以下、本発明の実施の形態について図面を参照して説明する。なお、各図中、実質的に同一の機能を有する構成要素については、同一の符号を付してその重複した説明を省略する。
【００１０】
［実施の形態の要約］
本実施の形態に係る印刷制御装置は、第１の画像データに含まれる複数の第１のオブジェクトのうち第２のオブジェクトを重ねる対象となる第１のオブジェクトの選択と、選択した第１のオブジェクトの前面又は背面の重ねる側の選択とを受け付ける受付手段と、受け付けられた選択に基づいて第１のオブジェクトに第２のオブジェクトを重ねた第２の画像データを印刷するよう印刷装置を制御する制御手段とを備える。
【００１１】
「第１のオブジェクト」は、例えば、印刷する際に基本の色材が用いられるオブジェクトである。基本の色材とは、カラー画像を形成するためのトナー、インク等の色材をいう。トナーを用いた基本の色材には、例えば、シアン（Ｃ）、マゼンタ（Ｍ）、イエロー（Ｙ）、黒（Ｋ）の４色の基本色が用いられる。なお、基本色は、５色以上でもよく、他の色が含まれてもよい。トナーを用いた基本の色材を以下「基本色トナー」ともいう。
【００１２】
「第２のオブジェクト」は、例えば、印刷する際に基本の色材とは異なる色材が用いられるオブジェクトである。異なる色材とは、第１のオブジェクトに光沢、金属光沢、つや消し等の視覚的効果（以下「特色効果」ともいう。）を与える色材（以下「特色色材」ともいう。）をいう。特色色材には、例えば、金属色（金色、銀色等）、透明（クリア）色、白色、蛍光色等の色材が含まれる。透明色とは、例えば、透過率が７０％以上のものをいう。トナーを用いた特色色材を以下「特色トナー」ともいう。
【００１３】
オブジェクトには、写真オブジェクト、文字（ｔｅｘｔ）オブジェクト、線（ｓｔｒｏｋｅ）オブジェクト、塗り（ｆｉｌｌ）オブジェクト、シェーディング（ｓｈａｄｅ）オブジェクト等の種別がある。
【００１４】
［実施の形態］
図１は、本発明の実施の形態に係る印刷システムの構成例を示すブロック図である。この印刷システム１は、印刷指示装置２と、印刷制御装置３と、画像出力装置４とを有して構成されている。印刷指示装置２及び画像出力装置４は、複数でもよい。印刷制御装置３は、例えば、プリントサーバ等の機能を有するサーバ装置が該当する。画像出力装置４は、印刷装置の一例である。
【００１５】
印刷指示装置２は、例えば、パーソナルコンピュータ、タブレット型端末、多機能携帯電話機（スマートフォン）等の携帯情報端末が含まれる。印刷指示装置２は、印刷ジョブを印刷制御装置３に送信するものである。印刷ジョブは、印刷を指示する印刷指示情報の一例である。
【００１６】
印刷ジョブは、印刷ジョブを識別するジョブＩＤと、印刷制御装置３や画像出力装置４が解釈できるページ記述言語（ＰＤＬ：Page Description Language）で記述された印刷データと、両面／片面や部数等の各種の印刷の条件等の印刷の属性を示す属性情報とを含んで構成されている。印刷データは、第１の画像データの一例である。
【００１７】
ＰＤＬには、例えば、ＰＤＦ（Portable Document Format)や、ＰｏｓｔＳｃｒｉｐｔ（登録商標）、ＰＣＬ（Printer Command Language）等がある。
【００１８】
画像出力装置４は、例えば、電子写真方式、インクジェット方式等により用紙等の記録媒体に画像を形成するプリンタや、スキャン、プリント、複写、ファクシミリ等の複数の機能を有する複合機を用いることができる。本実施の形態では、イエロー（Ｙ）、シアン（Ｃ）、マゼンタ（Ｍ）、黒（Ｋ）の基本色トナー、さらには特色トナーを用いてカラ−画像又は白黒画像を形成するプリンタを用いる。
【００１９】
（印刷制御装置の構成）
印刷制御装置３は、この装置３の各部を制御する制御部３０と、各種の情報を記憶する記憶部３１と、キーボードやマウス等で実現される入力部３２と、液晶ディスプレイ等で実現される表示部３３と、印刷指示装置２との間で通信するネットワークＩ／Ｆ（インターフェース）３４Ａと、画像出力装置４との間で通信するネットワークＩ／Ｆ（インターフェース）３４Ｂとを備える。
【００２０】
制御部３０は、ＣＰＵ（Central Processing Unit）、インターフェース等から構成されている。ＣＰＵは、記憶部３１に記憶されたプログラム３１０に従って動作することにより、受付手段３００、ラスタライズ手段３０１、オブジェクト判別手段３０２、特色版生成手段３０３、プレビュー画像生成手段３０４、印刷制御手段３０５等として機能する。プレビュー画像生成手段３０４は、生成手段の一例である。これらの手段３００〜３０５については後述する。
【００２１】
記憶部３１は、ＲＯＭ（Read Only Memory）、ＲＡＭ（Random Access Memory）、ハードディスク等から構成される。記憶部３１は、プログラム３１０、ＣＭＹＫ版のラスター画像データ３１１、ＴＡＧ版のラスター画像データ３１２、上塗り用特色版のラスター画像データ３１３Ａ、下塗り用特色版のラスター画像データ３１３Ｂ、プレビュー画像３１４等の各種情報を記憶する。
【００２２】
（特色トナーの設定画面）
図２は、上塗り用特色トナーの設定画面の一例を示す図である。
【００２３】
作業領域１０ｂに表示された「上塗りする」の項目１０ｃを選択し、上塗りする対象として「写真」、「文字と線」、「塗りとシェーディング」のいずれかのオブジェクトの種別を選択して設定する。また、上塗り用特色トナーの設定画面１０は、１〜１００％の間で上塗り用特色トナーの濃度を入力する濃度入力欄１０ｄと、上塗り用特色トナーを選択するトナー選択欄１０ｅとを有する。「文字と線」及び「塗りとシェーディング」は、オブジェクトの種別の組の一例である。トナー選択欄１０ｅには、予め定められた特色トナー（例えばクリアトナー）が設定されている。ユーザが他の特色トナーを選択しない場合は、予め定められた特色トナーが設定される。
【００２４】
なお、オブジェクトの種別を「文字」と「線」とを分け、「塗り」と「シェーディング」とを分けて選択できるようにしてもよい。また、選択できるオブジェクトの種別はこれらに限られない。オブジェクトの種別の組を選択できるようにすることにより個別にオブジェクトの種別を選択するよりも操作を簡略化することができる。また、上塗りする対象をオブジェクトの種別を指定して選択するのではなく、個々のオブジェクトを指定して選択するようにしてもよい。
【００２５】
図３は、下塗り用特色トナーの設定画面の一例を示す図である。
【００２６】
作業領域１１ｂに表示された「下塗りする」の項目１１ｃを選択し、下塗りする対象として「写真」、「文字と線」、「塗りとシェーディング」のオブジェクトの種別を選択して設定する。また、下塗り用特色トナーの設定画面１１は、１〜１００％の間で下塗り用特色トナーの濃度を入力する濃度入力欄１１ｄと、下塗り用特色トナーを選択するトナー選択欄１１ｅとを有する。「文字と線」及び「塗りとシェーディング」は、オブジェクトの種別の組の一例である。トナー選択欄１１ｅには、予め定められた特色トナー（例えば金属トナー）が設定されている。ユーザが他の特色トナーを選択しない場合は、予め定められた特色トナーが設定される。
【００２７】
上塗り用特色トナーの設定画面１０と同様に、「文字」と「線」とを分け、「塗り」と「シェーディング」とを分けて選択できるようにしてもよい。また、選択できるオブジェクトの種別はこれらに限られない。オブジェクトの種別の組を選択できるようにすることにより個別にオブジェクトの種別を選択するよりも操作を簡略化することができる。また、下塗りする対象をオブジェクトの種別を指定して選択するのではなく、個々のオブジェクトを指定して選択するようにしてもよい。
【００２８】
上塗り用特色トナーの設定画面１０及び下塗り用特色トナーの設定画面１１のトナー選択欄１０ｅ、１１ｅは、画像出力装置４に組み込まれている後述するトナーカートリッジ５２Ｓ１、５２Ｓ２の特色トナーに限られず、トナーカートリッジ５２Ｓ１、５２Ｓ２として交換可能に用意されている特色トナーを含めてもよい。これにより組み込まれている場合だけよりも選択の幅が広がる。なお、トナーカートリッジ５２Ｓ１、５２Ｓ２をそれぞれ複数種を画像出力装置４に予め組み込んでおき、トナーカートリッジ自体を交換しなくても選択できるようにしてもよい。
【００２９】
図４〜図７は、特色トナーによる特色効果を説明するための図である。図４は、特色トナーを用いていない中間転写ベルト４８又は用紙Ｐ上の出力結果１００の一例を示す図である。出力結果１００は、ＣＭＹＫ版のラスター画像データ３１１に基づいて出力されたものである。図４に示す出力結果１００には、写真オブジェクト１０１、塗りオブジェクト１０２、文字オブジェクト１０３が含まれているとする。写真オブジェクト１０１、塗りオブジェクト１０２及び文字オブジェクト１０３は、第１のオブジェクトの一例である。
【００３０】
図５（ａ）、（ｂ）に示すように、出力結果１００の前面全体にクリアトナーによるトナー像１０４を形成した場合、写真オブジェクト１０１以外も光沢が付与され、写真にのみ光沢感を与えるというユーザの目的に反してしまう場合がある。トナー像１０４は、第２のオブジェクトの一例である。
【００３１】
図６（ａ）、（ｂ）に示すように、出力結果１００を形成する前に全体に金色トナーによるトナー像１０５を形成し、その前面に図４に示す出力結果１００を形成した場合、塗りオブジェクト１０２以外も金属光沢が付与され、塗りオブジェクト１０２にのみ金属光沢を与えるというユーザの目的に反してしまう場合がある。トナー像１０５は、第２のオブジェクトの一例である。
【００３２】
本実施の形態の一例として、図７（ａ）、（ｂ）に示すように、塗りオブジェクト１０２の背面に金属トナーによるトナー像１０５を形成し、その前面に図４に示す出力結果１００を形成し、写真オブジェクト１０１の前面にクリアトナーによるトナー像１０４を形成した場合、写真にのみ光沢感を与え、塗りオブジェクト１０２の図形にのみ金属光沢感を与えることができる。
【００３３】
（各手段の説明）
次に、制御部３０の各手段３００〜３０５について説明する。
【００３４】
受付手段３００は、印刷指示装置２から送信される印刷ジョブを受け付ける。また、受付手段３００は、各種の設定画面１０、１１等に対する操作による設定を受け付ける。具体的には、特色トナーに関しては、特色トナー、特色トナーを重ね塗りするオブジェクトの種別、上塗りか下塗りか、特色トナーの濃度の各選択を受け付ける。受付手段３００は、３つ以上の特色トナーから上塗り用又は下塗り用として選択された特色トナーを受け付けてもよい。
【００３５】
ラスタライズ手段３０１は、印刷ジョブに含まれる印刷データをラスタライズ処理してラスター画像データを生成する。ラスター画像データは、印刷ジョブの属性情報に応じて生成され、１ドット（画素、pixel）単位の点の集まりで構成されたビットマップ形式のイメージデータである。具体的には、ラスタライズ手段３０１は、ＣＭＹＫの各色に対応したＣＭＹＫ版のラスター画像データ３１１を生成するとともに、ＴＡＧ版のラスター画像データ３１２を生成する。ＣＭＹＫ版のラスター画像データ３１１は、ＣＭＹＫの各版のラスター画像データによって構成されている。
【００３６】
ＴＡＧ版のラスター画像データ３１２は、例えば、オブジェクトの種別を示すオブジェクトＩＤ（タグ情報）を画素ごとに含む画像データである。
【００３７】
オブジェクト判別手段３０２は、ＴＡＧ版のラスター画像データ３１２によりオブジェクトの種別を解析する。
【００３８】
特色版生成手段３０３は、受付手段３００により特色トナーの設定画面１０、１１に対する操作による設定が受け付けられ、選択されたオブジェクトに対応するトナー像に上塗りするよう選択された場合は、設定された特色トナーによる上塗り用特色版のラスター画像データ３１３Ａを生成し、下塗りするよう選択された場合は、設定された特色トナーによる下塗り用特色版のラスター画像データ３１３Ｂを生成する。特色版生成手段３０３は、生成した特色版のラスター画像データ３１３Ａ、３１３Ｂ（これらを総称するときは「ラスター画像データ３１３」ともいう。）を記憶部３１に記憶する。選択されたオブジェクトに上塗り又は下塗りする特色トナーによるトナー像（特色トナー像ともいう。）は選択されたオブジェクトと同じ大きさを有する。選択されたオブジェクトは、第１のオブジェクトの一例である。特色トナー像は、第２のオブジェクトの一例である。
【００３９】
また、特色版生成手段３０３は、上塗り用特色トナーの設定画面１０の濃度入力欄１０ｄに入力された濃度の上塗り用特色版のラスター画像データ３１３Ａを生成し、下塗り用特色トナーの設定画面１１の濃度入力欄１１ｄに入力された濃度の下塗り用特色版のラスター画像データ３１３Ｂを生成する。なお、特色トナーを入力された濃度ではなく、特色トナー、オブジェクトの種別又は重ねる側に応じて予め定められた濃度で特色版のラスター画像データ３１３を生成してもよい。ここで、予め定められた濃度とは、一意の定まる濃度に限らず、予め定められた条件にしたがって決定される濃度であってもよい。
【００４０】
プレビュー画像生成手段３０４は、ＣＭＹＫ版のラスター画像データ３１１及び特色版のラスター画像データ３１３Ａ、３１３Ｂに基づいてプレビュー画像３１４を生成し、記憶部３１に記憶する。プレビュー画像３１４は、例えば、ＣＭＹＫ版のラスター画像データ３１１の解像度を低下させた画像である。
【００４１】
印刷制御手段３０５は、ＣＭＹＫ版のラスター画像データ３１１及び特色版のラスター画像データ３１３Ａ又は３１３Ｂを印刷するよう画像出力装置４を制御する。ＣＭＹＫ版のラスター画像データ３１１と特色版のラスター画像データ３１３Ａ、３１３Ｂとを合成した画像データは、第２の画像データの一例である。
【００４２】
（画像出力装置の構成）
図８は、画像出力装置４の概略の構成例を示す図である。画像出力装置４は、筐体４０と、筐体４０内の下部に着脱可能に設けられ、用紙Ｐを収容する給紙トレイ４１と、筐体４０の側面に着脱可能に設けられ、印刷された用紙Ｐが排出される排紙トレイ４２と、給紙トレイ４１から排紙トレイ４２に至るように設けられた用紙搬送路４３と、筐体４０内の上部に設けられ、画像を形成する画像形成部４４とを備える。
【００４３】
用紙搬送路４３には、給紙トレイ４１から用紙Ｐを１枚ずつ取り込むピックアップロール４５ａと、ピックアップロール４５ａにより取り込まれた用紙Ｐを搬送する搬送ロール４５ｂと、後述する中間転写ベルト４８に一次転写されるトナー像を用紙Ｐに二次転写する二次転写ロール４６と、トナー像を用紙Ｐに定着させる定着器４７とが配置されている。
【００４４】
画像形成部４４は、駆動ロール４９ａ、バックアップロール４９ｂ及び従動ロール４９ｃに張架された中間転写ベルト４８を備える。中間転写ベルト４８は、後述する感光体ドラムに接触しながら図中の矢印方向に循環移動する。
【００４５】
また、画像形成部４４は、中間転写ベルト４８に沿って第１の特色（Ｓ１）、シアン（Ｃ）、マゼンタ（Ｍ）、イエロー（Ｙ）、黒（Ｋ）、第２の特色（Ｓ２）の各色のトナー像を形成する像形成部５１Ｓ１、５１Ｃ、５１Ｍ、５１Ｙ、５１Ｋ、５１Ｓ２（以下、これらを総称するときは「像形成部５１」ともいう。）とを備える。
【００４６】
各像形成部５１は、それぞれＳ１ＣＭＹＫＳ２各色のトナー像が形成される感光体ドラムと、感光体ドラムの表面を一様に帯電する帯電器と、帯電した感光体ドラムにＳ１ＣＭＹＫＳ２各色の画像データに基づいて変調された露光光を照射することによりＳ１ＣＭＹＫＳ２各色の静電潜像を形成する露光器と、静電潜像をトナーで現像することにより、感光体ドラムの表面にトナー像を形成する現像器と、現像器にトナーを供給するトナーカートリッジ５２Ｓ１、５２Ｃ、５２Ｍ、５２Ｙ、５２Ｋ、５２Ｓ２（以下、これらを総称するときは「トナーカートリッジ５２」ともいう。）を配置している。
【００４７】
像形成部５１Ｓ１は、下塗り用特色版のラスター画像データ３１３Ｂに基づいて特色のトナー像（特色トナー像ともいう。）を形成する。像形成部５２Ｃ、５２Ｍ、５２Ｙ、５２Ｋは、ＣＭＹＫ版のラスター画像データ３１１に基づいてＣＭＹＫの各色（基本色）のトナー像（基本色トナー像ともいう。）を形成する。像形成部５２Ｓ２は、上塗り用特色版のラスター画像データ３１３Ａに基づいて特色のトナー像（特色トナー像ともいう。）を形成する。特色トナー像は、第２のオブジェクトの一例である。
【００４８】
（実施の形態の動作）
次に、印刷システム１の動作の一例について図９及び図１０を参照して説明する。図６は、印刷システム１の動作の一例を示すフローチャートである。図１０は、図９の画像処理の一例を示すフローチャートである。
【００４９】
印刷制御装置３の受付手段３００が印刷指示装置２から送信された印刷ジョブを受け付けると（Ｓ１）、ラスタライズ手段３０１は、印刷ジョブに含まれるＰＤＬデータによる印刷データをラスタライズ処理してＣＭＹＫ版のラスター画像データ３１１を生成するとともに、ＴＡＧ版のラスター画像データ３１２を生成する（Ｓ２）。ラスタライズ手段３０１は、ＣＭＹＫ版のラスター画像データ３１１及びＴＡＧ版のラスター画像データ３１２を記憶部３１に記憶する。
【００５０】
受付手段３００は、ユーザの要求に応じて特色トナーの設定画面１０、１１を表示部３３に表示し、設定画面１０、１１に対して操作された設定を受け付ける（Ｓ３）。
【００５１】
オブジェクト判別手段３０２は、ＴＡＧ版のラスター画像データ３１２からオブジェクトの種別を取得し（Ｓ４１）、取得したオブジェクトの種別が上記ステップＳ３で選択されたオブジェクトの種別を含むか否かを判断する（Ｓ４２）。
【００５２】
選択されたオブジェクトの種別を含む場合は（Ｓ４２：Ｙｅｓ）、特色版生成手段３０３は、特色トナーの設定に基づいて特色トナーの特色版のラスター画像データ３１３を生成し（Ｓ４３）、記憶部３１に記憶する。
【００５３】
プレビュー画像生成手段３０４は、ＣＭＹＫ版のラスター画像データ３１１及び特色版のラスター画像データ３１３からプレビュー画像３１４を生成し、表示部３３に表示する（Ｓ５）。
【００５４】
プレビュー画像３１４に対してユーザが入力部３２を操作してＯＫを指示すると（Ｓ６：Ｙｅｓ）、印刷制御手段３０５は、ＣＭＹＫ版のラスター画像データ３１１及び特色版のラスター画像データ３１３を印刷するよう画像出力装置４を制御する（Ｓ７）。
【００５５】
プレビュー画像３１４に対してユーザが入力部３２を操作してＮＯを指示すると（Ｓ６：Ｎｏ）、受付手段３００は、設定画面１０又は１１を表示部３３に表示し、特色トナーに対する再設定を受け付ける。
【００５６】
以上、本発明の実施の形態を説明したが、本発明の実施の形態は上記実施の形態に限定されるものではなく、本発明の要旨を変更しない範囲内で種々の変形、実施が可能である。例えば、画像出力装置４を含む画像形成装置に対しても本発明を適用することは可能である。
【００５７】
制御部３０の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【００５８】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータで読み取り可能な記録媒体に記録して提供することができ、クラウドサーバ等の外部サーバに格納しておき、ネットワークを介して利用することもできる。
【符号の説明】
【００５９】
１…印刷システム、２…印刷指示装置、３…印刷制御装置、４…画像出力装置、１０…設定画面、１０ｂ…作業領域、１０ｃ…項目、１１…設定画面、１１ｂ…作業領域、１１ｃ…項目、３０…制御部、３１…記憶部、３２…入力部、３３…表示部、３４Ａ、３４Ｂ…ネットワークＩ／Ｆ、４０…筐体、４１…給紙トレイ、４２…排紙トレイ、４３…用紙搬送路、４４…画像形成部、４５ａ…ピックアップロール、４５ｂ…搬送ロール、４６…二次転写ロール、４７…定着器、４８…中間転写ベルト、４９ａ…駆動ロール、４９ｂ…バックアップロール、４９ｃ…従動ロール、５１…像形成部、５２…トナーカートリッジ、１００…出力結果、１０１…写真オブジェクト、１０２…塗りオブジェクト、１０３…文字オブジェクト、１０４、１０５…トナー像、３００…受付手段、３０１…ラスタライズ手段、３０２…オブジェクト判別手段、３０３…特色版生成手段、３０４…プレビュー画像生成手段、３０５…印刷制御手段、３１０…プログラム、３１１…ラスター画像データ（ＣＭＹＫ版）、３１２…ラスター画像データ（ＴＡＧ版）、３１３Ａ…ラスター画像データ（上塗り用特色版）、３１３Ｂ…ラスター画像データ（下塗り用特色版）、３１４…プレビュー画像
【図１】
2020047194.tif 000003
【図２】
2020047194.tif 000004
【図３】
2020047194.tif 000005
【図４】
2020047194.tif 000006
【図５】
2020047194.tif 000007
【図６】
2020047194.tif 000008
【図７】
2020047194.tif 000009
【図８】
2020047194.tif 000010
【図９】
2020047194.tif 000011
【図１０】
2020047194.tif 000012